(57)【特許請求の範囲】
【請求項１】
回路基板上に該回路基板に沿った方向に前後方向を向けて取り付けられ、前方から相手コネクタが嵌合されるコネクタハウジングと、該コネクタハウジングの後壁に形成された端子圧入孔に後方から圧入固定された端子と、を有し、前記端子が、前端に、前記後壁から前方へ突き抜けて前記相手コネクタ側の端子と接続される端子接続部を有し、その後部に、前記端子圧入孔に圧入されることで前記コネクタハウジングに固定される圧入固定部を有し、更にその後部に、前記回路基板側に屈曲して延びる連絡部を有し、その連絡部の端部に、前記回路基板に対して半田付け固定される基板固定部を有しており、
前記端子の圧入固定部と基板固定部を繋ぐ連絡部の途中に、中心孔の開いた応力吸収部が設けられている基板用コネクタにおいて、
前記連絡部が、前記端子接続部および前記圧入固定部の延長上に直線状に延びる第１直線部と、該第１直線部の後端から前記回路基板側に向けて垂直に折れ曲がる第１屈曲部と、該第１屈曲部から前記回路基板に向けて直線状に延びる第２直線部と、該第２直線部の下端から前記回路基板と平行な前側方向または後側方向へ折れ曲がる第２屈曲部とを有し、該第２屈曲部の延長上に前記基板固定部が設けられており、前記第１直線部の途中に、前記中心孔の貫通方向を上下方向に向け、且つ、対向２辺を前後方向に略平行に向けると共に残る対向２辺を左右方向に略平行に向けて、四角枠状の前記応力吸収部が設けられ、前記四角枠状の応力吸収部の左右方向の対向２辺間の外面幅が前記第１直線部の幅よりも大きく設定されていることを特徴とする基板用コネクタ。
【請求項２】
請求項１に記載の基板用コネクタであって、
前記コネクタハウジングの端子圧入孔の後方に前記応力吸収部を収容する収容部が設けられ、この収容部と前記応力吸収部との間にクリアランスが設けられていることを特徴とする基板用コネクタ。
【発明の詳細な説明】
【技術分野】
【０００１】
本発明は、回路基板上に取り付けられる基板用コネクタに関するものである。
【背景技術】
【０００２】
この種の基板用コネクタの例が、例えば、特許文献１や特許文献２において示されている。図８は特許文献１に記載された従来の基板用コネクタの構成図、図９は同コネクタの端子の構成図である。
【０００３】
この基板用コネクタは、図８に示すように、前部に相手コネクタの嵌合口１０２を有する樹脂製のコネクタハウジング１０１と、コネクタハウジング１０１の後壁１０３の端子圧入孔１０４に後方から圧入して固定された多数の金属製の端子１１０Ａ、１１０Ｂとから構成されている。
【０００４】
２種類の端子１１０Ａ、１１０Ｂのうち、図９（ａ）に示す端子１１０Ａは、コネクタハウジング１０１の上段の端子圧入孔１０４に圧入するもの、図９（ｂ）に示す端子１１０Ｂは、コネクタハウジング１０１の下段の端子圧入孔１０４に圧入するものである。
【０００５】
各端子１１０Ａ、１１０Ｂは、前端に、コネクタハウジング１０１の後壁１０３から前方へ突き抜けて相手コネクタ側の端子と接続される端子接続部１１１を有し、その後部に、端子圧入孔１０４に圧入されることでコネクタハウジング１０１に固定される圧入固定部１１２を有し、更にその後部に、回路基板側に屈曲して延びる連絡部１１９を介して回路基板に半田付け固定される基板固定部１１７を有している。
【特許文献１】特許２００６−１００２３１号公報
【特許文献２】特許２００５−１１６２３０号公報
【発明の開示】
【発明が解決しようとする課題】
【０００６】
ところで、この種の基板用コネクタでは、コネクタハウジング１０１に端子１１０Ａ、１１０Ｂを圧入固定しているため、熱サイクル等により、回路基板とコネクタハウジングの間に熱収縮差が発生した場合に、端子１１０Ａ、１１０Ｂに応力が発生してしまい、基板固定部１１７を回路基板に半田付けしている箇所にクラックが誘発される等の問題があった。
【０００７】
本発明は、上記事情を考慮し、熱サイクル等により、回路基板とコネクタハウジングの間に熱収縮差が発生した場合にも、端子に生じる応力を緩和することができて、端子を回路基板に半田付けした箇所にクラックが入らないようにすることのできる基板用コネクタを提供することを目的とする。
【課題を解決するための手段】
【０００９】
請求項１の発明は、回路基板上に該回路基板に沿った方向に前後方向を向けて取り付けられ、前方から相手コネクタが嵌合されるコネクタハウジングと、該コネクタハウジングの後壁に形成された端子圧入孔に後方から圧入固定された端子と、を有し、前記端子が、前端に、前記後壁から前方へ突き抜けて前記相手コネクタ側の端子と接続される端子接続部を有し、その後部に、前記端子圧入孔に圧入されることで前記コネクタハウジングに固定される圧入固定部を有し、更にその後部に、前記回路基板側に屈曲して延びる連絡部を有し、その連絡部の端部に、前記回路基板に対して半田付け固定される基板固定部を有しており、前記端子の圧入固定部と基板固定部を繋ぐ連絡部の途中に、中心孔の開いた応力吸収部が設けられている基板用コネクタにおいて、前記連絡部が、前記端子接続部および前記圧入固定部の延長上に直線状に延びる第１直線部と、該第１直線部の後端から前記回路基板側に向けて垂直に折れ曲がる第１屈曲部と、該第１屈曲部から前記回路基板に向けて直線状に延びる第２直線部と、該第２直線部の下端から前記回路基板と平行な前側方向または後側方向へ折れ曲がる第２屈曲部とを有し、該第２屈曲部の延長上に前記基板固定部が設けられており、前記第１直線部の途中に、前記中心孔の貫通方向を上下方向に向け、且つ、対向２辺を前後方向に略平行に向けると共に残る対向２辺を左右方向に略平行に向けて、四角枠状の前記応力吸収部が設けられ、前記四角枠状の応力吸収部の左右方向の対向２辺間の外面幅が前記第１直線部の幅よりも大きく設定されていることを特徴とする。
【００１０】
請求項２の発明は、請求項１に記載の基板用コネクタであって、前記コネクタハウジングの端子圧入孔の後方に前記応力吸収部を収容する収容部が設けられ、この収容部と前記応力吸収部との間にクリアランスが設けられていることを特徴とする。
【発明の効果】
【００１２】
請求項１の発明によれば、端子の圧入固定部の後方、即ちコネクタハウジング側に固定される圧入固定部と回路基板側に固定される基板固定部の間を繋ぐ連絡部の途中に、応力吸収部を設けているので、圧入固定部と基板固定部との間にコネクタハウジングと回路基板の熱収縮差等による応力が発生した場合にも、応力吸収部が変形することで、その応力を吸収することができる。従って、基板固定部を回路基板に半田付けした箇所に無理な応力がかからなくなり、半田付け箇所にクラックが入るのを未然に防止することができ、半田付け部の接続信頼性を高めることができる。特に、端子の圧入固定部と基板固定部との間の左右方向の位置ズレを、四角枠状の応力吸収部が、各対向２辺を互いに略平行に保ちながら、斜めに変形することで吸収することができる。
【００１３】
請求項２の発明によれば、コネクタハウジングの端子圧入孔の後方に応力吸収部を収容する収容部を設け、この収容部と応力吸収部との間にクリアランスを設けたことにより、収容部内において応力吸収部を自由に変形させることができる。
【発明を実施するための最良の形態】
【００１４】
以下、本発明の実施形態を図面を参照して説明する。
【００１５】
図１は実施形態の基板用コネクタに使用されている端子の構成を示す斜視図、図２は実施形態の基板用コネクタの前方から見た外観斜視図、図３は同基板用コネクタの後方から見た外観斜視図、図４は同基板用コネクタの要部の背面図、図５はその一部の拡大図、図６は同基板用コネクタの要部の水平断面図、図７はその一部の拡大図である。
【００１６】
図１〜図７に示すように、この実施形態の基板用コネクタは、回路基板８上に該回路基板８に沿った方向に前後方向を向けて取り付けられ、前部に確保された嵌合口２に、前方から相手コネクタが嵌合される樹脂製のコネクタハウジング１と、コネクタハウジング１の後壁３に形成された端子圧入孔４に後方から圧入固定された多数の端子１０と、コネクタハウジング１を回路基板８に固定するための固定金具７とからなる。
【００１７】
図１に主に示すように、端子１０は、前端に、コネクタハウジング１の後壁３から前方へ突き抜けて相手コネクタ側の端子と接続される端子接続部１１を有し、その後部に、端子圧入孔４に圧入されることでコネクタハウジング１に固定される圧入固定部１２を有し、更にその後部に、回路基板８側に屈曲して延びる連絡部１９を有し、その連絡部１９の端部に、回路基板８に対して半田付け固定される基板固定部１７を有している。
【００１８】
また、連絡部１９は、端子接続部１１および圧入固定部１２の延長上に直線状に延びる第１直線部１３と、該第１直線部１３の後端から回路基板８側に向けて垂直に折れ曲がる第１屈曲部１４と、該第１屈曲部１４から回路基板８に向けて直線状に延びる第２直線部１５と、該第２直線部１５の下端から回路基板８と平行な前側方向または後側方向へ折れ曲がる第２屈曲部１６とを有しており、第２屈曲部１６の延長上に基板接続部１７が設けられている。
【００１９】
そして、端子１０の圧入固定部１２と基板固定部１７を繋ぐ連絡部１９の第１直線部１３の途中に、四角い中心孔２１の開いた四角枠状の応力吸収部２０が設けられている。この場合、応力吸収部２０は、中心孔２１の貫通方向を上下方向に向け、且つ、対向２辺を前後方向に略平行に向けると共に残る対向２辺を左右方向に略平行に向けて設けられており、応力吸収部２０の左右方向の対向２辺間の外面幅が、第１直線部１３の通常部の幅よりも大きく設定されている。
【００２０】
また、図４〜図７に示すように、コネクタハウジング１の端子圧入孔４の後方には、応力吸収部２０が入り込む凹部（収容部）５が設けられており、この凹部５の内壁と応力吸収部２０との間に、図５に示すように、応力吸収部２０が自由に変形できるようにする隙間（クリアランス）Ｈが確保されている。
【００２１】
次に作用を説明する。
【００２２】
この基板用コネクタでは、各端子１０の圧入固定部１２の後方、即ち、コネクタハウジング１側に固定される圧入固定部１２と回路基板８側に固定される基板固定部１７の間を繋ぐ連絡部１９の第１直線部１３の途中に、その中心孔２１の貫通方向を上下方向に向けた姿勢で四角枠状の応力吸収部２０が設けられているので、圧入固定部１２と基板固定部１７との間にコネクタハウジング１と回路基板８の熱収縮差等による応力が発生した場合にも、四角枠状の応力吸収部２０が変形することで、その応力を吸収することができる。例えば、図７のＢの端子１０は変形前、Ａの端子１０は変形後の状態を示しており、このＡの端子１０のように、四角枠状の応力吸収部２０が、各対向２辺を互いに略平行に保ちながら斜めに変形することにより、圧入固定部１２と基板固定部１７との間の左右方向の位置ズレを吸収することができる。
【００２３】
従って、基板固定部１７を回路基板８に半田付けした箇所に無理な応力がかからなくなり、半田付け箇所にクラックが入るのを未然に防止することができ、半田付け部の接続信頼性を高めることができる。
【００２４】
また、図５に示すように、コネクタハウジング１の端子圧入孔４の後方に応力吸収部２０を収容する凹部５を設け、この凹部５と応力吸収部２０との間に隙間Ｈを設けたことにより、凹部５内において応力吸収部２０を自由に変形させることができる。
【００２５】
なお、応力吸収部の枠形状を三角形や円形にすることも考えられるが、三角形や円形にした場合は、ほとんど変形することがないので、応力吸収する上では不向きである。また、中心孔２１の形状は、応力吸収部２０の外形と相似形にするのが基本であり、他の形状にすると、変形しにくくなる。また、応力吸収部２０の左右方向の対向２辺の外面幅を、第１直線部１３の幅と同じくしても、ある程度の効果が期待できるが、左右方向の対向２辺の変形を大きくとるには、対向２辺の外面幅を第１直線部１３の幅よりも幾らかでも大きくするのがよい。
【図面の簡単な説明】
【００２６】
【図１】本発明の実施形態の基板用コネクタに使用されている端子の構成を示す斜視図である。
【図２】同実施形態の基板用コネクタの前方から見た外観斜視図である。
【図３】同基板用コネクタの後方から見た外観斜視図である。
【図４】同基板用コネクタの要部の背面図である。
【図５】その一部の拡大図である。
【図６】同基板用コネクタの要部の水平断面図である。
【図７】その一部の拡大図である。
【図８】従来の基板用コネクタの水平断面図である。
【図９】（ａ）、（ｂ）は同従来の基板用コネクタに使用される各端子の構成を示す斜視図である。
【符号の説明】
【００２７】
１  コネクタハウジング
３  後壁
４  端子圧入孔
５  凹部（収容部）
８  回路基板
１０  端子
１１  端子接続部
１２  圧入固定部
１３  第１直線部
１４  第１屈曲部
１５  第２直線部
１６  第２屈曲部
１７  基板固定部
１９  連絡部
２０  応力吸収部
２１  中心孔
Ｈ  隙間（クリアランス）
【図１】
0005227645.tif 000002
【図２】
0005227645.tif 000003
【図３】
0005227645.tif 000004
【図４】
0005227645.tif 000005
【図５】
0005227645.tif 000006
【図６】
0005227645.tif 000007
【図７】
0005227645.tif 000008
【図８】
0005227645.tif 000009
【図９】
0005227645.tif 000010